(57)【要約】【課題】情報端末機器のアプリケーション毎の使用予測データを作成し、その使用予測データから、時間や曜日や季節によって情報端末機器に表示するアプリケーション画面を自動的に切換えることを目的とする。【解決手段】時間を認識する時間認識手段１０と、アプリケーションの使用予測データを作成する学習手段１４と、使用予測データの結果を基に、表示する表示情報を作成する表示情報制御手段１８を備え、これによって、利用者の時間ごとのアプリケーション使用予測データを作成し、作成した使用予測データを基に、情報端末機器１に表示するアプリケーションを自動的に切換えて表示することによって、利用者の生活スタイルに合わせた、アプリケーションの画面表示を行うことができるので、目的のアプリケーションを呼び出すための操作を省くことができ、利用者の利便性が向上する。【選択図】  図１
2004326498.tif 000002
【特許請求の範囲】
【請求項１】
利用者がアプリケーションを操作するための入力手段と、アプリケーション画面などを表示するための表示手段と、時間を認識する時間認識手段と、前記入力手段の入力情報によりアプリケーションの利用状態を判定し、使用予測データを作成する学習手段と、前記入力手段の入力情報、または前記学習手段で作成した使用予測データの結果を基に、前記表示手段に表示する表示情報を作成し、前記表示手段に表示する表示情報制御手段を有し、前記表示情報制御手段は、前記学習手段で作成した使用予測データに基づき前記表示手段に表示する表示情報を作成し、前記表示手段に表示する画面内容を変更するようにした情報端末機器。
【請求項２】
学習手段は、時間毎の使用予測データを作成し、表示情報制御手段は、前記学習手段で作成した使用予測データに基づき表示手段に表示する表示情報を作成し、表示手段に表示する画面内容を変更するようにした請求項１に記載の情報端末機器。
【請求項３】
学習手段は、曜日毎の使用予測データを作成し、表示情報制御手段は、前記学習手段で作成した曜日毎の使用予測データに基づき表示手段に表示する表示情報を作成し、表示手段に表示する画面内容を変更するようにした請求項１または２に記載の情報端末機器。
【請求項４】
曜日毎の仕様予測データは、利用者によって特異日を設定することが可能である請求項３に記載の情報端末機器。
【請求項５】
季節や月日毎の使用予測データを記憶する情報記憶手段を有し、表示情報制御手段は、前記情報記憶手段に記憶されている季節や月日毎の使用予測データに基づき表示手段に表示する表示情報を作成し、表示手段に表示する画面内容を変更するようにした請求項１〜４のいずれか１項に記載の情報端末機器。
【請求項６】
情報記憶手段に記憶している季節や月日毎の使用予測データは、利用者によって設定を変更することが可能である請求項５に記載の情報端末機器。
【請求項７】
請求項１〜６のいずれか１項に記載の情報端末機器が有する機能の一部または全部をコンピュータにより実行するプログラム。
【発明の詳細な説明】
【０００１】
【発明の属する技術分野】
本発明は、表示情報制御に特徴を有する情報端末機器及びプログラムに関するものである。
【０００２】
【従来の技術】
近年、携帯電話やＰＤＡに代表される情報端末機器が急速に普及し、またその性能は益々高性能化している。また、インターネットの急速な普及とそれに伴う情報通信インフラの整備が急速に進み、利用者は多量の情報を入手することができるようになった。このとき、利用者の情報受信の手段として用いられるものは、携帯電話、パーソナルコンピュータ、ＰＤＡなどが代表的なものである。
【０００３】
この他にも、家庭内の複数の電化製品を集中制御することが可能なマンション情報端末機器、または電化製品の制御機能を備える家庭内情報端末機器が実用化されている。
【０００４】
このように、様々な形態の情報端末機器やリモコンが実用化されているが、１台で複数の機能やアプリケーションを備えるものがあり、利用者が情報端末機器に設けられている入力装置、または情報端末機器に接続した入力装置を用いて、画面を切換えながら操作するのが一般的である。
【０００５】
情報端末機器が持つ機能やアプリケーションの数が増えるほど、利用者は画面が見にくかったり、目的の機能やアプリケーションを操作するための画面を表示するまでの操作回数が増えたり、複雑になる。また、情報端末機器が閲覧できるホームページなどの構成が複雑になるほど、利用者が目的の情報を得るまでには手間がかかる。
【０００６】
上述したような問題点を解決するために、従来、ユーザーにとって画面が見やすく、操作性や作業能率を向上させるための方法が考えられている（例えば、特許文献１参照）。
【０００７】
そのためのマルチ画面表示制御装置は、マルチウィンドウシステムにおいて、複数の画面を表示する場合、ＣＲＴなどの物理画面上の表示領域を第１および第２の表示領域に分割し、第１の表示領域にユーザーが作業を行っている画面など（アクティブな画面）を表示することで、ユーザーが注目している画面が見やすく表示され、操作性、作業能率が向上する。また、第２の表示領域にはそれ以外の画面を相互に重ならないように表示することで、現在注目していない画面の存在も容易に認識でき、さらに、第２の表示領域内における画面表示の配列に一定の規則性を持たせることで、注目されていない（アクティブでない）画面のいずれかを新たな作業対象として選択する場合にも、その特定が容易になる。
【０００８】
【特許文献１】
特開平９−１２８１９２号公報
【０００９】
【発明が解決しようとする課題】
しかしながら、前記従来の構成では、パソコンのモニター画面などの大きい表示装置の場合は、利用者が作業しているアクティブの画面と、作業していない、非アクティブな画面に表示領域を分けることによって、利用者は作業している画面が見やすくなり、操作性が向上するという利点があったが、携帯情報端末などの画面が小さい装置の場合は、アクティブな画面と非アクティブな画面を分けて、画面中の文字や絵などを利用者がきちんと認識でき、作業に支障がない画面構成とするには、画面の大きさや表示領域の面積が大きいものに限定されるという課題があった。
【００１０】
また、アクティブな画面と非アクティブな画面の表示領域を分けた場合、装置の表示領域が小さい程、利用者が作業しているアクティブな画面の面積が小さくなるので、表示領域を分けることで、逆に利用者の操作性や作業効率を低下させるという課題があった。
【００１１】
また、日常コンピュータなどを操作する機会がない利用者は、複数の機能を、画面を切換えながら操作するという作業になれていないので、そのような利用者にとっては画面を切換えながら複数の機能を使うという操作方法のみでは使いにくいという課題があった。
【００１２】
本発明は、前記従来の課題を解決するもので、利用者のアプリケーション利用状態のデータから使用予測データを作成し、作成した使用予測のデータに基づき、機器の表示手段に表示するアプリケーション画面を自動的に変更するようにした情報端末機器を提供することを目的とする。
【００１３】
【課題を解決するための手段】
前記従来の課題を解決するために、本発明の情報端末機器は、利用者がアプリケーションを操作するための入力手段の入力情報により、アプリケーションの利用状態を判定し、使用予測データを作成する学習手段を有し、この学習手段で作成した使用予測データに基づき、表示情報を表示手段に表示するとともに表示手段に表示する画面内容を変更するようにしたものである。
【００１４】
これによって、情報端末機器が持つ複数の機能やアプリケーション毎の操作画面を、利用者のアプリケーションの使用パターン（生活パターン）を学習し、使用予測データを作成することによって、情報端末機器の画面に表示する表示情報を自動的に変更し、利用者の生活スタイルに合わせた画面表示を行うことができる。
【００１５】
【発明の実施の形態】
請求項１に記載の発明は、利用者がアプリケーションを操作するための入力手段と、アプリケーション画面などを表示するための表示手段と、時間を認識する時間認識手段と、前記入力手段の入力情報によりアプリケーションの利用状態を判定し、使用予測データを作成する学習手段と、前記入力手段の入力情報、または前記学習手段で作成した使用予測データの結果を基に、前記表示手段に表示する表示情報を作成し、前記表示手段に表示する表示情報制御手段を有し、前記表示情報制御手段は、前記学習手段で作成した使用予測データに基づき前記表示手段に表示する表示情報を作成し、前記表示手段に表示する画面内容を変更するようにした情報端末機器としたことにより、情報端末機器が持つ複数の機能やアプリケーション毎の操作画面を、利用者のアプリケーションの使用パターン（生活パターン）を学習し、使用予測データを作成することによって、情報端末機器の画面に表示する表示情報を自動的に変更し、利用者の生活スタイルに合わせた画面表示を行うことができる。
【００１６】
請求項２に記載の発明は、学習手段は、時間毎の使用予測データを作成し、表示情報制御手段は、前記学習手段で作成した使用予測データに基づき表示手段に表示する表示情報を作成し、表示手段に表示する画面内容を変更するようにした請求項１に記載の情報端末機器としたことにより、利用者が情報端末機器を利用する際、１日の時間毎の使用パターンを学習し使用予測データを作成し、作成した使用予測データに基づいて情報端末機器の表示手段に表示するアプリケーション画面を自動的に切換えることで、毎日の時間毎の使用パターンに合わせた画面表示を行うことができる。
【００１７】
請求項３に記載の発明は、学習手段は、曜日毎の使用予測データを作成し、表示情報制御手段は、前記学習手段で作成した曜日毎の使用予測データに基づき表示手段に表示する表示情報を作成し、表示手段に表示する画面内容を変更するようにした請求項１または２に記載の情報端末機器としたことにより、利用者が情報端末機器を利用する際、１週間の曜日毎の使用パターンを学習し、曜日毎に情報端末機器の表示手段に表示する画面の内容を変化させることで、利用者の曜日毎の使用パターンに合わせた画面表示を行うことができる。
【００１８】
請求項４に記載の発明は、曜日毎の仕様予測データは、利用者によって特異日を設定することが可能である請求項３に記載の情報端末機器としたことにより、利用者が各自で通常の生活スタイルとは異なる日を設定できるようにすることで、例えば、通常月曜日から金曜日までが出勤で、土、日曜日が休日である利用者が、ある月曜日が休日となった場合、事前にその日を休日と設定しておくと、土曜日、または日曜日の使用パターンに合わせてアプリケーション画面を情報端末機器に表示することで、通常の生活スタイルとは異なるイレギュラーな日でも、利用者にとって最適な画面表示を行うことができ、不必要な操作を省くことができる。
【００１９】
請求項５に記載の発明は、季節や月日毎の使用予測データを記憶する情報記憶手段を有し、表示情報制御手段は、前記情報記憶手段に記憶されている季節や月日毎の使用予測データに基づき表示手段に表示する表示情報を作成し、表示手段に表示する画面内容を変更するようにした請求項１〜４のいずれか１項に記載の情報端末機器としたことにより、月毎や季節毎に情報端末機器の表示手段に表示する画面の内容を変化させることで、例えば、夏と冬で前記表示手段に表示する電化製品を変えたり、電化製品の機能を変えたりすることで、利用者にとって不必要な表示情報を排除することができるので、利用者の操作性が向上する。
【００２０】
請求項６に記載の発明は、情報記憶手段に記憶している季節や月日毎の使用予測データは、利用者によって設定を変更することが可能である請求項５に記載の情報端末機器としたことにより、利用者が各自の生活スタイルに合わせた表示画面を設定できるようにすることで、例えば、エアコンを操作するような場合、１１月から３月までは最初に暖房の画面を表示し、４月から１０月までは最初に冷房の画面が表示するように利用者が事前に設定できるようにすることで、利用者の生活スタイルや好みに合わせたり、利用者毎個別の画面表示がされたりするので、利用者の趣向や住環境などに合わせた画面表示を行うことができ、利用者の操作性が向上する。
【００２１】
請求項７に記載の発明は、請求項１〜６のいずれか１項に記載の情報端末機器が有する機能の一部または全部をコンピュータにより実行するプログラムとしたことにより、家庭にあるコンピュータなどを用いて、情報端末機器の一部あるいは全部の機能を容易に実現することができる。
【００２２】
【実施例】
以下本発明の実施例について、図面を参照しながら説明する。
【００２３】
（実施例１）
図１〜図４は本発明の実施例１における表示情報制御を示すものである。
【００２４】
図１において、１は携帯情報端末やその他の端末である情報端末機器である。２は情報端末機器１と接続しており、情報端末機器１から制御することが可能な給湯機である。３〜５は給湯機２と接続しており、給湯機２で制御する給湯機端末であり、３は床暖房、４はエアコン、５は浴室乾燥機である。なお、情報端末機器１から制御する機器の一例として給湯機２を示したが、これに限られるものではない。
【００２５】
６は情報端末機器１を設置している家庭に情報を配信したり、情報端末機器１から送信されてくる情報を管理したりする管理会社である。７は管理会社６が管理するサーバーである。８は情報端末機器１と管理会社６が管理するサーバー７を接続するネットワーク網である。９は情報端末機器１の基本機能を制御する制御手段である。１０は情報端末機器１のシステムの時間を認識する時間認識手段である。
【００２６】
１１は利用者が情報端末機器１によりアプリケーションを操作するための入力手段である。入力手段１１はボタンやタッチパネルなどがあり、情報端末機器１の本体に外部入力装置との接続手段を設けて外部入力装置から入力を行う場合であってもよい。１２は入力情報制御手段であり、入力手段１１の入力情報を入力とし、前記入力情報に基づいて作成した、給湯機制御情報やサーバー送信情報を出力する。１３は機器情報送受信部であり、入力情報制御手段１２で作成した前記給湯機制御情報を入力とし、給湯機２に送信する。また、給湯機２や給湯機２と接続している給湯機端末３〜５から送信した情報を受信する。１４は情報端末機器１が持つ複数の機能やアプリケーションの、時間や曜日や季節毎などの使用パターンを分析する学習手段で、入力手段１１の入力情報によりアプリケーションの利用状態を判定し、使用予測データを作成する。
【００２７】
１５は学習手段１４が作成した情報端末機器１の機能やアプリケーションの、時間や曜日や季節毎などの使用パターンの分析結果から、時間や曜日や季節毎の使用予測データを作成する、使用予測データ作成手段である。１６は入力情報制御手段１２からの入力情報に基づき、サーバー７にデータを送信したり、管理会社６から送信する情報を受信したりする、サーバー情報送受信部である。１７は情報端末機器１のアプリケーション画面などを表示する表示手段である。
【００２８】
１８は入力情報制御手段１２、サーバー情報送受信部１６、または使用予測データ作成手段１５からの情報に基づき、情報端末機器１の表示手段１７に表示する画面を作成する表示情報制御手段である。すなわち、入力手段１１の入力情報、または学習手段１４で作成した使用予測データの結果を基に、表示手段１７に表示する表示情報を作成するとともに表示手段１７に表示する画面内容を変更するようにしている。１９は使用予測データ作成手段１５で作成した使用予測データを記憶する情報記憶手段である。
【００２９】
以上のように構成された本実施例の情報端末機器について、その動作を説明する。
【００３０】
本実施例では、情報端末機器１は、ネットワーク網８を介して管理会社６が管理するサーバー７と接続されており、管理会社６が配信する天気予報やマンション内情報などの情報を閲覧する情報端末としての機能を備えるとともに、給湯機２と接続しており、給湯機２または給湯機２に接続されている給湯機端末（床暖房３、エアコン４、浴室乾燥機５など）を操作する機能を備えている。
【００３１】
また、情報端末機器１は、それぞれの機能に対して利用者が操作しやすいように、それぞれの機能を操作するためのアプリケーションを持っている。
【００３２】
例えば、図２は情報端末機器１に表示した、給湯機２を操作するアプリケーション画面の一例であり、風呂温度や、給湯温度や、風呂湯量を設定することが可能である。
【００３３】
図２において、１０１は表示手段１７を構成するタッチパネルである。１０２、１０３、１０４は入力ボタンであり、入力手段１１の一部を構成するものであり、それぞれの入力手段に割り当てられたアプリケーションを表示することができる。
【００３４】
ここでは、入力ボタン１０２を押すことにより、図２に示した風呂温度や給湯温度などを設定するアプリケーションを表示することができる。入力ボタン１０３は、管理会社６が配信する天気予報やマンション内情報などの情報を閲覧するアプリケーションを表示する入力ボタンである。その情報表示画面の例を図３（ａ）に示す。入力ボタン１０４は、給湯機２に接続しているエアコン４を操作するアプリケーションを表示する入力ボタンである。そのエアコン制御画面の例を図３（ｂ）に示す。
【００３５】
なお、本実施例では、アプリケーションの切換えの方法として、入力ボタンを用いて説明を行ったが、入力ボタンの代わりに、タッチパネル１０１上に配置されたボタンや、音声入力など、別の入力方法でも構わない。
【００３６】
利用者の情報端末機器１の機能使用パターンとして、１９時から２２時の間は入浴や食事の後片付けなどの作業が多い場合は、その間の時間になると自動的に図２に示すような風呂温度や給湯温度などを設定するアプリケーションを表示手段１７に表示する。
【００３７】
また、２２時から２３時の間はリビングのエアコン４の操作が多い場合は、図３（ｂ）に示すようなエアコンのアプリケーションを表示手段１７に表示する。
【００３８】
また、朝６時３０分から８時の間は、天気予報やマンション内情報（例えば、ごみの収集日など）を閲覧することが多い場合は、図３（ａ）に示すような、情報を閲覧するアプリケーションを表示手段１７に表示する。
【００３９】
次に、情報端末機器１の使用予測データの作成例について説明する。
【００４０】
利用者は、情報端末機器１を使用する際、入力手段１１を操作することによって、各種情報を閲覧したり、風呂を沸かしたり、エアコンの設定をすることができる。また、入力ボタン１０２、１０３、１０４は、入力手段１１の一つであり、上述したように入力ボタン１０２、１０３、１０４を操作することで、各々のボタンに対応したアプリケーションを呼び出すことができる。
【００４１】
図４において、まず、利用者が入力ボタン１０２を押すと（Ａ−１）、入力情報制御手段１２は、風呂／給湯の操作画面を呼び出すための入力ボタンが押されたと判断する（Ａ−２）。
【００４２】
表示情報制御手段１８は、入力情報制御手段１２が判断した情報に基づき、風呂／給湯操作のアプリケーション画面を作成し（Ａ−３）、表示手段１７に表示する（Ａ−４）。
【００４３】
また学習手段１４は、入力情報制御手段１２が判断した情報に基づき、風呂／給湯の操作画面を呼び出すための入力ボタン１０２が押されたことと、押された時間を認識し（Ａ−５）、時間に対する機能またはアプリケーション毎の利用頻度分布データ（例えば、１０分ごとの利用頻度分布データ）を作成する（Ａ−６）。
【００４４】
上述したステップ（Ａ−１）からステップ（Ａ−６）は、その他の入力ボタン１０３、１０４が押されたときも、同様のステップで利用頻度分布データを作成する。
【００４５】
使用予測データ作成手段１５は、学習手段１４が作成した利用頻度分布データに基づき、機能またはアプリケーション毎の使用予測データを作成する（Ａ−７）。例えば、学習手段１４による利用頻度分布データを所定の期間（例えば、２週間など）収集し（Ａ−６）、時間毎に、所定の期間中に最も利用頻度の多かったアプリケーションを画面に表示するといった条件で、使用予測データ作成手段１５は、機能またはアプリケーションの時間毎の使用予測データを作成する。
【００４６】
また、利用頻度分布データと使用予測データは、利用頻度分布データの作成期間である２週間を経過した後も、随時更新する。機能またはアプリケーションの時間毎の使用予測データは、この他にも、所定の期間中に所定の回数以上使用されたアプリケーションを表示するなどの方法でもよい。
【００４７】
このようにして、使用予測データ作成手段１５によって作成された使用予測データを基に、表示情報制御手段１８は所定の時間毎（ここでは、１０分毎の利用頻度分布データを作成したので１０分毎）に、最も利用頻度の多かったアプリケーションの画面を自動的に切換えながら表示する。
【００４８】
このように、情報端末機器１の機能またはアプリケーション毎の使用予測データによって、情報端末機器１の表示手段１７に表示するアプリケーションを自動的に切換えて表示することによって、利用者の生活スタイルに合わせた、アプリケーションの画面表示を行うことができるので、目的のアプリケーションを呼び出すための操作を省くことができ、利用者の利便性を向上することができる。
【００４９】
また、使用予測データは利用者の入力ボタンの情報から作成されるので、わざわざ利用者が時間毎に画面に表示するアプリケーションを設定するといった操作をする必要がなく、利用者は特に意識することなく通常の操作を行うだけで使用予測のデータを作成できるので、利用者に負担をかけることなく、時間毎に最適なアプリケーション画面を表示する情報端末機器を提供することができる。
【００５０】
（実施例２）
図５、図６は、本発明の実施例２における情報端末機器を示すものである。
【００５１】
本実施例は、実施例１に加えて、時間毎の使用予測データを、曜日毎に作成するようにしたものであり、その他の構成、動作は実施例１と同じである。
【００５２】
そこで、以下、実施例１との相違点を中心に説明する。図５において、情報端末機器１が持つ複数のアプリケーションの使用パターンを分析する学習手段１４は、入力情報制御手段１２が判断した情報に基づき入力ボタン押された時間だけでなく、曜日も認識することができるものである。
【００５３】
４０１は学習手段１４が作成した情報端末機器１の使用パターンの分析結果から、平日の情報端末機器１の使用予測データを作成する平日データ作成部で、使用予測データ作成手段１５の機能の一つである。４０２は学習手段１４が作成した情報端末機器１の使用パターンの分析結果から、休日の情報端末機器１の使用予測データを作成する休日データ作成部で、使用予測データ作成手段１５の機能の一つである。
【００５４】
利用者の１週間の生活スタイルは、最も一般的な例では、仕事や学校へ行く、月曜日から金曜日（平日）と、土、日曜日（休日）というように、ある程度規則性があるのが一般的である。
【００５５】
本実施例では、使用予測データ作成手段１５は、平日の使用予測データを作成する平日データ作成部４０１と、休日の使用予測データを作成する休日データ作成部４０２を備えており、アプリケーションの時間毎の使用予測データを、平日と休日で別々に作成する機能を備えている。
【００５６】
例えば、利用者がある時間に、エアコン４を操作するアプリケーションを呼び出す入力ボタン１０４を操作したとき、学習手段１４は、入力ボタン１０４が操作されたことと、時間と、曜日を認識し、操作したのが平日であった場合は、使用予測データＡを作成、または更新する。また、別の日に、同じく利用者がある時間に、エアコン４を操作するアプリケーションを呼び出す入力ボタン１０４を操作したとき、学習手段１４は、入力ボタン１０４が操作されたことと、時間と、曜日を認識し、操作したのが休日であった場合は、使用予測データＢを作成、または更新する。
【００５７】
このように、本実施例では、休日と平日で使用予測データを別々に作成、保持している。アプリケーションの自動切換えも、その日の曜日に合わせた使用予測データを基に自動的に切換える。
【００５８】
このようにして、休日と平日、別々に作成された使用予測データを基に、表示情報制御手段１８は所定の時間毎に、最も利用頻度の多かったアプリケーションの画面を自動的に切換えながら表示する。
【００５９】
次に、利用者によって曜日毎の使用予測データの設定を変更する場合について、図６を用いて説明する。
【００６０】
図６は利用者によって使用予測データの設定を変更するための画面の例である。１週間の中で、通常の生活スタイルでは休日であるが、休日出勤などで平日と同じ生活スタイルとなる場合や、逆に平日の時に年休などで休日と同じ生活スタイルとなる特異日が生じることがある。
【００６１】
例えば、図６に示すように、通常、土曜日と日曜日が休日の利用者が、平日の２月１０日が休日となった場合、図６（ａ）のカレンダー画面で２月１０日を選択すると、２月１０日のスケジュール画面が表示され、図６（ｂ）の設定画面で休日を選択することにより、２月１０日は、休日の使用予測データＢに基づき、アプリケーションの自動切換えを行うことで、通常の生活スタイルとは異なるような場合でもそれに合わせた画面表示を行うことができる。
【００６２】
このように、実施例１のように、毎日の時間毎の、アプリケーションの使用パターンから使用予測データを作成し、所定の時間毎に、最も利用頻度の多かったアプリケーションの画面を自動的に切換えながら表示する機能に加え、さらに時間毎の使用予測データを、曜日毎または休日と平日毎に作成することで、利用者の１日の生活スタイルに加え、平日と休日というように、１週間の生活スタイルにも合わせたアプリケーションの画面表示を行うことができるので、より利用者の生活スタイルに合わせたアプリケーションの画面表示を行うことができる。
【００６３】
また、利用者が、曜日毎の使用予測データの設定を変更できる機能を備えることによって、特異日についても柔軟に対応できるので、通常の生活スタイルとは異なるような日が発生した場合でも利用者の利便性を損なうことはない。
【００６４】
（実施例３）
図７、図８は、本発明の実施例３における情報端末機器を示すものである。
【００６５】
本実施例は、実施例１、２に加えて、季節や月日毎の使用予測データを用いてアプリケーションの切換えを行うようにしたものであり、その他の構成、動作は実施例１、２と同じである。
【００６６】
そこで、以下、実施例１、２との相違点を中心に説明する。図７において、６０１はエアコン、６０２は電子レンジ、６０３は冷蔵庫であり、それぞれ、情報端末機器１から操作することが可能である。６０４はエアコン６０１の通信手段、６０５は電子レンジ６０２の通信手段、６０６は冷蔵庫６０３の通信手段、６０７は情報端末機器１の通信手段である。
【００６７】
通信の方式には、電灯線などを用いる有線と、特定小電力無線やＢｌｕｅｔｏｏｔｈなどによる無線とがあり、本実施例ではそのいずれの方式でもよいが、図７は無線による通信の場合を示している。
【００６８】
また、情報端末機器１とエアコン６０１、電子レンジ６０２、冷蔵庫６０３とは、親機と子機の関係にあり、親機から子機の操作は出来るが、子機同士の操作は出来ない。
【００６９】
図８において、入力ボタン１０２、１０３、１０４は、それぞれ、エアコン６０１、電子レンジ６０２、冷蔵庫６０３のアプリケーションを呼び出す入力手段を構成している。なお、エアコン６０１は冷房機能と暖房機能を備えているものであり、図８（ａ）は冷房画面の例、図８（ｂ）は暖房画面の例を示している。
【００７０】
次に本実施例の動作について説明する。
【００７１】
本実施例の情報端末機器１は、特定小電力無線により、エアコン６０１、電子レンジ６０２、冷蔵庫６０３の制御を行うことが可能であり、このときのエアコン６０１を操作する場合を例に説明を行う。情報記憶手段１９は、予め製造元などで設定している、エアコンの季節または月日毎の使用予測データを記憶している。
【００７２】
例えば、冷房機能と、暖房機能を備えるエアコンの場合、１１月１日から３月３１日までの間は、エアコン６０１は暖房として使用し、６月１日から９月３０日までの間は、冷房として使用すると予測し、製造会社では予め情報記憶手段１９にその予測データを記憶する。
【００７３】
情報端末機器１の時間認識手段１０はカレンダー機能も備えており、情報端末機器１のカレンダー情報が１１月１日以降の時に、利用者がエアコン６０１を使おうと、入力ボタン１０２を操作すると、表示情報制御手段１８で図８（ｂ）に示すように、エアコン６０１のアプリケーション画面を、暖房用の表示情報を作成し、表示手段１７に表示する。
【００７４】
同様に、情情報端末機器１のカレンダー情報が６月１日以降の時に、利用者がエアコン６０１を使おうと、入力ボタン１０２を操作すると、表示情報制御手段１８で図８（ａ）に示すように、エアコン６０１のアプリケーション画面を冷房用の表示情報を作成し、表示手段１７に表示する。
【００７５】
また、冷房と暖房の画面表示を切換える時期（月日）は、利用者の住む地域や好みによって差があるので、情報記憶手段１９に記憶している季節や月日毎の使用予測データは、利用者によって変更できるものであり、個人の好みや住環境などで自由に設定変更することができるものである。
【００７６】
このように、季節や月日毎に使用する機能が限定できるような場合、季節や月日に合わせて表示するアプリケーション画面を自動的に切換えて表示することで、利用者に不必要な表示情報を与えることないので、利用者の機器の操作性を向上させることができる。また、不必要な表示情報を削除できるので、利用者の誤操作を防止することができる。また、利用者の好みや住環境に合わせて、利用者が表示する画面を自由に設定変更できるので、利用者個別の特徴や住環境に合わせてアプリケーション画面の表示を行うことができ、より個別の生活に合わせた表示切換えができるので、利便性を向上できる。
【００７７】
そしてまた、上記した各実施例１〜３における情報端末機器１が有する機能の一部または全部をコンピュータにより実行するプログラムとすることにより、家庭にあるコンピュータなどを用いて容易に実現することができる。また、そのプログラムやデータを記録した記録媒体を用いることで、ソフトウエアを汎用マイコンの制御メモリに書き込んだり、データを他の端末へ移動したりする作業が容易にできるため、記録媒体や通信回線でのダウンロードによって運用途中でのプログラムの変更や追加を行うことで新たな仕様変更に対応できる。
【００７８】
【発明の効果】
以上のように、本発明の情報端末機器によれば、情報端末機器が持つ複数の機能やアプリケーション毎の操作画面を、利用者のアプリケーションの使用パターン（生活パターン）を学習し、使用予測データを作成することによって、情報端末機器の画面に表示する表示情報を自動的に変更し、利用者の生活スタイルに合わせた画面表示を行うことができ、利用者の利便性を向上することができる。
【図面の簡単な説明】
【図１】本発明の実施例１における情報端末機器の構成図
【図２】同情報端末機器に表示した給湯機のアプリケーション画面の例を示す図
【図３】同情報端末機器に表示した他のアプリケーション画面の例を示す図
【図４】同情報端末機器の使用予測データ作成のフローチャート
【図５】本発明の実施例２における情報端末機器の構成図
【図６】同情報端末機器の使用予測データの設定を変更するための画面の例を示す図
【図７】本発明の実施例３における情報端末機器の構成図
【図８】同情報端末機器に表示したエアコンのアプリケーション画面の例を示す図
【符号の説明】
１  情報端末機器
２  給湯機
３〜５  給湯機端末
９  制御手段
１０  時間認識手段
１１  入力手段
１２  入力情報制御手段
１３  機器情報送受信部
１４  学習手段
１５  使用予測データ作成手段
１７  表示手段
１８  表示情報制御手段
１０２〜１０４  入力ボタン
４０１  平日データ作成部
４０２  休日データ作成部
６０１  エアコン
６０２  電子レンジ
６０３  冷蔵庫
【図１】
2004326498.tif 000003
【図２】
2004326498.tif 000004
【図３】
2004326498.tif 000005
【図４】
2004326498.tif 000006
【図５】
2004326498.tif 000007
【図６】
2004326498.tif 000008
【図７】
2004326498.tif 000009
【図８】
2004326498.tif 000010